(57)【特許請求の範囲】
【請求項１】
スライドショーで順次表示する複数の画像の画質を調整するための画像調整装置であって、
前記複数の画像に含まれる個々の画像にそれぞれ対応する画像データにそれぞれ対応付けられている所定の情報に基づいて、前記複数の画像を表示する際の画質を画像単位で調整する調整手段を備え、
少なくとも１つの画像について、前記所定の情報は、画質設定コマンドを含み、
前記画質設定コマンドは、一つ以上の映像調整コマンドを含み、
前記映像調整コマンドは、前記個々の画像の画質を調整するための何れか一つの属性の種類と該属性における基準値からの増減量が数値で記述された増減値との組を含み、
前記調整手段は、前記画質設定コマンドに基づいて、所定の表示モードにおける属性値を基準値とし、前記映像調整コマンドによって指定された属性については、前記基準値から、前記映像調整コマンドによって指定された増減値だけ増減させた値に属性値を設定することにより、画質を調整することを特徴とする画像調整装置。
【請求項２】
請求項１に記載の画像調整装置であって、
前記少なくとも１つの画像について、前記画質設定コマンドには、一つ以上の映像調整コマンドが含まれ、又は、前記一つ以上の映像調整コマンド及び前記個々の画像の画質を調整するための複数の属性の種類と属性値との組を含む画質切替コマンドが含まれ、
前記少なくとも１つの画像について、前記画質設定コマンドに前記一つ以上の映像調整コマンドが含まれるが、前記画質切替コマンドが含まれていない場合には、デフォルトの表示モードにおける属性値を前記基準値とすることを特徴とする画像調整装置。
【請求項３】
請求項２に記載の画像調整装置であって、
前記少なくとも１つの画像について、前記画質設定コマンドに、前記一つ以上の映像調整コマンド及び前記個々の画像の画質を調整するための複数の属性の種類と属性値との組を含む画質切替コマンドが含まれている場合には、前記画質切替コマンドが指示する表示モードにおける属性値を前記基準値とすることを特徴とする画像調整装置。
【請求項４】
請求項１乃至３の何れか１項に記載の画像調整装置であって、
前記所定の情報は、所定の規格に従った情報であることを特徴とする画像調整装置。
【請求項５】
請求項１乃至４の何れか１項に記載の画像調整装置であって、
前記画質設定コマンドは、前記個々の画像に対応する画像ファイル中に記載されていることを特徴とする画像調整装置。
【請求項６】
請求項１乃至４の何れか１項に記載の画像調整装置であって、
前記画質設定コマンドは、前記個々の画像に対応する画像ファイルと紐づいた、該画像ファイルとは別のファイル中に記載されていることを特徴とする画像調整装置。
【請求項７】
請求項１乃至４の何れか１項に記載の画像調整装置であって、
前記画質設定コマンドは、前記個々の画像それ自身に埋め込まれていることを特徴とする画像調整装置。
【請求項８】
請求項１乃至７の何れか１項に記載の画像調整装置であって、
前記少なくとも１つの画像について、前記所定の情報は、前記画質設定コマンドに加えて、前記個々の画像の撮影時に撮影者によって設定された撮影タイプ情報を含み、
前記調整手段は、前記少なくとも１つの画像について、前記画質設定コマンドと前記撮影タイプ情報の少なくとも一方に基づいて、前記個々の画像の画質を調整することを特徴とする画像調整装置。
【請求項９】
請求項８に記載の画像調整装置であって、
前記少なくとも１つの画像について、前記所定の情報は、前記画質設定コマンドに加えて、前記個々の画像の撮影時に撮影者によって設定された撮影タイプ情報を含み、
前記調整手段は、前記少なくとも１つの画像について、前記画質設定コマンドと前記撮影タイプ情報の双方に基づいて、前記個々の画像の画質を調整することを特徴とする画像調整装置。
【請求項１０】
請求項８または９の何れか１項に記載の画像調整装置であって、
前記撮影タイプ情報を画像単位で画像に対応付けて設定する撮影タイプ情報設定手段を更に備えることを特徴とする画像調整装置。
【請求項１１】
請求項８乃至１０の何れか１項に記載の画像調整装置であって、
カメラが設定した撮影タイプ情報の少なくとも一部を書き換える撮影タイプ情報書換手段を更に備えることを特徴とする画像調整装置。
【請求項１２】
請求項１乃至１１の何れか１項に記載の画像調整装置であって、
前記画質設定コマンドを画像単位で画像に対応付けて設定する画質設定コマンド設定手段を更に備えることを特徴とする画像調整装置。
【請求項１３】
スライドショーで複数の画像を順次表示するための画像表示装置であって、
請求項１乃至１２のいずれか１項に記載の画像調整装置と、
前記画像調整装置によって調整された画像を表示する表示手段と、
を備えることを特徴とする画像表示装置。
【請求項１４】
スライドショーで順次表示する複数の画像の画質を調整するための方法であって、
前記複数の画像に含まれる個々の画像にそれぞれ対応する画像データにそれぞれ対応付けられている所定の情報に基づいて、前記複数の画像を表示する際の画質を画像単位で調整する調整ステップを有する画像調整方法であって、
少なくとも１つの画像について、前記所定の情報は、画質設定コマンドを含むものであり、
前記画質設定コマンドは、一つ以上の映像調整コマンドを含むものであり、
前記映像調整コマンドは、前記個々の画像の画質を調整するための何れか一つの属性の種類と該属性における基準値からの増減量が数値で記述された増減値との組を含むものであり、
前記調整ステップにおいて、前記画質設定コマンドに基づいて、所定の表示モードにおける属性値を基準値とし、前記映像調整コマンドによって指定された属性については、当該基準値から、前記映像調整コマンドによって指定された増減値だけ増減させた値に属性値を設定することにより、画質を調整することを特徴とする画像調整方法。
【請求項１５】
請求項１４に記載の方法であって、
前記調整ステップによって調整された画像を表示する表示ステップを更に有することを特徴とする画像調整方法。
【請求項１６】
スライドショーで順次表示する複数の画像の画質を調整するための画質調整装置として、コンピュータを機能させるための画像調整用プログラムであって、
前記画像調整用プログラムは、コンピュータを、前記複数の画像に含まれる個々の画像にそれぞれ対応する画像データにそれぞれ対応付けられている所定の情報に基づいて、前記複数の画像を表示する際の画質を画像単位で調整する調整手段として機能させ、
少なくとも１つの画像について、前記所定の情報は、画質設定コマンドを含み、
前記画質設定コマンドは、一つ以上の映像調整コマンドを含み、
前記映像調整コマンドは、前記個々の画像の画質を調整するための何れか一つの属性の種類と該属性における基準値からの増減量が数値で記述された増減値との組を含み、
前記調整手段は、前記画質設定コマンドに基づいて、所定の表示モードにおける属性値を基準値とし、前記映像調整コマンドによって指定された属性については、前記基準値から、前記映像調整コマンドによって指定された属性の増減値だけ増減させた属性値を設定することにより、画質を調整することを特徴とする画像調整用プログラム。
【請求項１７】
請求項１６に記載の画像調整用プログラムであって
コンピュータを、
前記調整手段によって調整された画像を表示する表示手段として更に機能させるための画像調整用プログラム。
【発明の詳細な説明】
【技術分野】
【０００１】
本発明は画像調整装置及び画像表示装置、画像調整方法、並びに画像調整用プログラムに関し、特に、スライドショーで順次表示する複数の画像の画質を調整するための画質調整装置及び画像表示装置、画像調整方法、並びに画像調整プログラムに関する。
【背景技術】
【０００２】
従来のサイネージディスプレイには、ＵＳＢメモリデバイスや本体内蔵メモリーに格納した画像ファイルを読み込んで自動スライドショー表示する機能がある。
【０００３】
この場合、ディスプレイ上での画質モードや明るさ、コントラスト等の表示画質設定については、予め設定メニューで設定されており、表示する画像コンテンツによって表示画質を変更したい場合は、その都度、リモコン操作で表示画質設定を変更する必要がある。
【０００４】
また、ネットワーク経由でコンテンツを配信することが可能なディスプレイの場合は、表示画質モードについてネットワーク経由のコマンド操作により変更することが可能なものもある。
【０００５】
例えば、特許文献１は、取得した画像情報を表示する画像表示装置において、画像情報及び該画像情報に対応したＥｘｉｆ情報をＨＤＭＩ（登録商標）通信によって外部機器から取得し、該Ｅｘｉｆ情報に基づいて画質調整をする発明を開示している。
【先行技術文献】
【特許文献】
【０００６】
【特許文献１】特開２０１０−２７８５３０号公報
【発明の概要】
【発明が解決しようとする課題】
【０００７】
しかし、Ｅｘｉｆ情報は、基本的に、画像に合わせた調整に用いるものであって、表示装置に合わせた調整に用いることが意図されたものではない。
【０００８】
また、特許文献１に記載の発明のように、ネットワーク経由で画像コンテンツを配信することが可能なディスプレイにおいて、各画像コンテンツに応じて表示モードを変更したい場合は、その都度、外部からネットワーク経由でコマンドを送信する必要があった。しかし、表示のタイミングを考慮した上で、外部からネットワーク経由でコマンドを入力することは困難であり、同時に、画像コンテンツを準備するユーザ側のみで外部からのコマンド入力に対応することも困難となっていた。
【０００９】
本発明はこのような問題点に鑑みてなされたものであり、画像コンテンツを準備するユーザーによる設定に基づき、ディスプレイ側で自動的に最適な表示画質設定に変更した上で、自動スライドショーを実行することが可能な画像調整装置及び画像表示装置、画像調整方法、並びに画像調整用プログラムを提供することを目的とする。
【課題を解決するための手段】
【００１０】
本発明の第１の観点によれば、スライドショーで順次表示する複数の画像の画質を調整するための画質調整装置であって、前記複数の画像に含まれる個々の画像にそれぞれ対応する画像データにそれぞれ対応付けられている所定の情報に基づいて、前記複数の画像の画質を画像単位で調整する調整手段を備え、少なくとも１つの画像について、前記所定の情報は、画質設定コマンドを含み、前記画質設定コマンドは、一つ以上の映像調整コマンドを含み、前記映像調整コマンドは、前記個々の画像の画質を調整するための何れか一つの属性の種類と該属性における基準値からの増減量が数値で記述された増減値との組を含み、前記調整手段は、前記画質設定コマンドに基づいて、所定の表示モードにおける属性値を基準値とし、前記映像調整コマンドによって指定された属性については、前記基準値から、前記映像調整コマンドによって指定された増減値だけ増減させた値に属性値を設定することにより、画質を調整することを特徴とする画像調整装置が提供される。
【００１１】
本発明の第２の観点によれば、スライドショーで順次表示する複数の画像の画質を調整するための画像調整方法であって、前記複数の画像に含まれる個々の画像にそれぞれ対応する画像データにそれぞれ対応付けられている所定の情報に基づいて、前記複数の画像を表示する際の画質を画像単位で調整する調整ステップを有することを特徴とする画像調整方法であって、少なくとも１つの画像について、前記所定の情報は、画質設定コマンドを含むものであり、前記画質設定コマンドは、一つ以上の映像調整コマンドを含むものであり、前記映像調整コマンドは、前記個々の画像の画質を調整するための何れか一つの属性の種類と該属性における基準値からの増減量が数値で記述された増減値との組を含むものであり、前記調整ステップにおいて、前記画質設定コマンドに基づいて、所定の表示モードにおける属性値を基準値とし、前記映像調整コマンドによって指定された属性については、当該基準値から、前記映像調整コマンドによって指定された増減値だけ増減させた値に属性値を設定することにより、画質を調整することを特徴とする画像調整方法が提供される。
【００１２】
本発明の第３の観点によれば、スライドショーで順次表示する複数の画像の画質を調整するための画質調整装置として、コンピュータを機能させるための画像調整用プログラムであって、前記画像調整用プログラムは、コンピュータを、前記複数の画像に含まれる個々の画像にそれぞれ対応する画像データにそれぞれ対応付けられている所定の情報に基づいて、前記複数の画像を表示する際の画質を画像単位で調整する調整手段として機能させ、少なくとも１つの画像について、前記所定の情報は、画質設定コマンドを含み、前記画質設定コマンドは、一つ以上の映像調整コマンドを含み、前記映像調整コマンドは、前記個々の画像の画質を調整するための何れか一つの属性の種類と該属性における基準値からの増減量が数値で記述された増減値との組を含み、前記調整手段は、前記画質設定コマンドに基づいて、所定の表示モードにおける属性値を基準値とし、前記映像調整コマンドによって指定された属性については、前記基準値から、前記映像調整コマンドによって指定された属性の増減値だけ増減させた属性値を設定することにより、画質を調整することを特徴とするための画像調整用プログラムが提供される。
【発明の効果】
【００１３】
本発明によれば、画像コンテンツを準備する側の対応のみでディスプレイに表示する際の画質設定を最適化することが可能となる。
【図面の簡単な説明】
【００１４】
【図１】本発明の第１の実施形態による画像表示装置の構成図である。
【図２】本発明の第１の実施形態による画像表示装置の動作フローを示す図である。
【図３】本発明の第１の実施形態による画像表示装置で用いる画質設定コマンドを示す図である。
【図４】本発明の第１の実施形態による画像表示装置で用いる撮影タイプ情報と表示モードとの対応関係を示す図である。
【図５】本発明の第１の実施形態による画像表示装置の実施例を示す図である。
【図６】本発明の第２の実施形態による画像表示装置の動作フローを示す図である。
【図７】本発明の第３の実施形態による画像表示装置の構成図である。
【図８】本発明の第４の実施形態による画像表示装置の構成図である。
【図９】本発明の第５の実施形態による画像表示装置の構成図である。
【発明を実施するための形態】
【００１５】
本発明の実施の形態について、図１乃至図９を参照しつつ説明する。
＜第１の実施形態＞
最初に、図１乃至図４を用いて本発明の第１の実施形態に係る画像調整装置及び画像表示装置について説明する。
【００１６】
図１は、本発明の第１の実施形態に係るディスプレイ１０の構成を示す図である。ディスプレイ１０は、制御部１００、調整部２００、表示部３００、外部記憶装置処理部４００、信号処理部５００、操作入力部６００を有する。これらのうちディスプレイ１０を本発明では「画像表示装置」とも呼ぶ。また、制御部１００と調整部２００とをまとめて、本発明では「画像調整装置」とも呼ぶ。
【００１７】
制御部１００は、ディスプレイ１０全体を制御する制御部であり、マイクロプロセッサ（Microprocessor）、プログラミングすることができるＬＳＩ（Large Scale Integration）であるＦＰＧＡ（Field Programmable Gate Array）、特定の用途のために設計、製造される集積回路であるＡＳＩＣ（Application Specific Integrated Circuit）、又はその他の演算機能を有する回路のいずれかであって良い。また、図示はしないが、制御部１００によって実行されるプログラムを格納するためのＲＯＭ（Read Only Memory）、及び／又は、制御部１００によってデータアクセスされ、一時的にデータを記憶するワークメモリとして使用するＲＡＭ（Random Access Memory）が制御部１００に接続されていても良い。
【００１８】
更に、制御部１００は、コンテンツ取得部１１０、設定情報取得部１２０、及び判断部１３０を有する。コンテンツ取得部１１０は、外部記憶装置処理部４００から画像コンテンツの各画像ファイルを取得すると同時に、当該各画像ファイル中の画像データを表示部３００に送信する。設定情報取得部１２０は、コンテンツ取得部１１０によって取得された各画像ファイルから各画質設定情報を取得する。判断部１３０は、設定情報取得部１２０によって取得された各画質設定情報に基づき、各画像の表示時に、各画像の表示画質を変更するかどうかを判断する。これらの構成要素の詳しい機能については後述する。
【００１９】
調整部２００は、上記の判断部１３０による判断結果に基づき、制御部１００のコンテンツ取得部１１０が表示部３００に送信した各画像を表示部３００が表示するのに先立って、各画像を表示する際の表示画質設定を調整する。
【００２０】
表示部３００は、制御部１００のコンテンツ取得部１１０から入力された画像データを表示する箇所であり、例えば、液晶モニタモジュール装置であっても良い。また、表示部３００は、通常のサイネージディスプレイで用いられる表示部と同様に、液晶モニタ３１０、ＶＲＡＭ（Video RAM）３２０、及び液晶モニタ３１０とＶＲＡＭ３２０とを制御するコントローラ３３０を有する。
【００２１】
外部記憶装置処理部４００は、ＵＳＢメモリ等の外部記憶装置のデータ処理部である。
【００２２】
信号処理部５００は、ディスプレイ１０に接続されるＰＣやＡＶ機器等からの入力映像信号を処理する処理部である。
【００２３】
操作入力部６００は、ユーザーの操作を受け付ける入力部であり、例えば、リモコンやキーボード等で実現されても良い。
【００２４】
次に、図２を用いて本発明のディスプレイ１０の動作のフローについて述べる。
【００２５】
なお、ここでは、各画像の画像ファイル中、Ｅｘｉｆ情報内のコメント欄に画像設定コマンドが記載されている態様について述べるが、本発明の実施形態はこれには限られない。例えば、Ｅｘｉｆ情報内のコメント欄ではなく、ＭａｋｅｒＮｏｔｅ欄に画質設定コマンドを記載しても良いし、各画像の画像ファイルと紐づいた別ファイル内に、画質設定コマンドが記載されても良い。
【００２６】
まずＳＴＥＰ１００１において、ユーザは図１の外部記憶装置処理部４００に接続することとなる外部記憶装置、例えばＵＳＢメモリに、自動スライドショーに用いる画像コンテンツに対応する画像ファイルを記憶させる。同時に、各画像コンテンツ毎の最適な表示画質に対応する画質設定コマンドを、各画像コンテンツに対応する画像ファイルのＥｘｉｆ情報内のコメント欄に記載する。
【００２７】
ここで、画質設定コマンドの一例を、図３に示す。
【００２８】
画質設定コマンドは、画質切替コマンドと映像調整コマンドとを含む。
【００２９】
画質切替コマンドは、各画像コンテンツを表示する際の表示画質の、複数の属性値の組み合わせからなる一つの表示モードを設定するコマンドである。
【００３０】
映像調整コマンドは、各画像コンテンツを表示する際の表示画質の、一つの属性の種類と当該属性の基準値からの増減値との組み合わせを設定するコマンドである。
【００３１】
また、各コマンドは、アルファベット４文字と４桁の数字の組み合わせによって構成される。ただし、本発明の実施形態はこれに限定されない。
【００３２】
画質切替コマンドは、“ＡＶＭＤ”のアルファベット４文字と数字４桁の組み合わせで構成される。ここで、数字４桁が“００００”である“ＡＶＭＤ００００”というコマンドは、トグル用に設けられたコマンドである。また、数字４桁が“０００１”である“ＡＶＭＤ０００１”というコマンドは、画質モードを「ＡＶ」に設定するコマンドである。ここで、「ＡＶ」というモードにおける、［明るさ、コントラスト、黒レベル、色の濃さ、色合い、シャープネス］の属性値の組は、例えば［０００５、００１０、０００５、００１０、００００、０００３］である。すなわち、“ＡＶＭＤ０００１”というコマンドをＥｘｉｆ情報のコメント欄に記載することにより、［明るさ、コントラスト、黒レベル、色の濃さ、色合い、シャープネス］の属性値が［０００５、００１０、０００５、００１０、００００、０００３］である所の「ＡＶ」という表示モードの表示画質によって、画像が表示されることとなる。もちろん、属性の組み合わせは、［明るさ、コントラスト、黒レベル、色の濃さ、色合い、シャープネス］に限定されることはない。すなわち、これらのうち一部の属性でも良く、他の属性を含んでも良い。また、「ＡＶ」という画質モードの属性値の組み合わせが、
［明るさ、コントラスト、黒レベル、色の濃さ、色合い、シャープネス］
＝［０００５、００１０、０００５、００１０、００００、０００３］
であるのは、あくまで一例にすぎず、他の数値の組み合わせであっても良い。
【００３３】
以下同様に、“ＡＶＭＤ０００２”は「映画」という表示モードを設定するコマンドである。“ＡＶＭＤ０００３”は「ゲーム」という表示モードを設定するコマンドである。“ＡＶＭＤ０００６”は「ダイナミック」という表示モードを設定するコマンドである。“ＡＶＭＤ０００７”は「ＰＣ」という表示モードを設定するコマンドである。“ＡＶＭＤ０００９”は「ｓＲＧＢ」という表示モードを設定するコマンドである。“ＡＶＭＤ００１１”は「フォト」という表示モードを設定するコマンドである。“ＡＶＭＤ００２０”は「高精細」という表示モードを設定するコマンドである。これらの各々の表示モード毎に属性値の組み合わせは異なる。
【００３４】
一方、映像調整コマンドは、「表示モード」である所の複数の属性の組み合わせを構成する各々の属性において、基準値に比較した増減値を設定するコマンドである。例えば、［明るさ］を設定したい場合は、アルファベット４文字として“ＶＬＭＰ”を用い、それに続けて、−１６以上１６以下の範囲の増減値を設定する。例えば、基準値に比較して［明るさ］を１０増加させた設定をしたい場合は、“ＶＬＭＰ００１０”というコマンドをＥｘｉｆ情報のコメント欄に記載する。ここで、増減値の範囲を−１６以上１６以下としたが、本発明の実施形態はこの範囲に限定されることはない。
【００３５】
以下同様に、基準値に比較した［コントラスト］の増減値を設定したい場合は、“ＣＯＮＴ＊＊＊＊”というコマンドを記載する（ここで“＊＊＊＊”の部分には、００００〜００４０までの数字の何れかが入力される）。基準値に比較した［黒レベル］の増減値を設定したい場合は、“ＢＬＶＬ＊＊＊＊”というコマンドを記載する（ここで“＊＊＊＊”の部分には、−０３０〜００３０までの数字の何れかが入力される）。基準値に比較した［色の濃さ］の増減値を設定したい場合は、“ＣＯＬＲ＊＊＊＊”というコマンドを記載する（ここで“＊＊＊＊”の部分には、−０３０〜００３０までの数字の何れかが入力される）。基準値に比較した［色合い］の増減値を設定したい場合は、“ＴＩＮＴ＊＊＊＊”というコマンドを記載する（ここで“＊＊＊＊”の部分には、−０３０〜００３０までの数字の何れかが入力される）。基準値に比較した［シャープネス］の増減値を設定したい場合は、“ＳＨＲＰ＊＊＊＊”というコマンドを記載する（ここで“＊＊＊＊”の部分には、００００〜００２０までの数字の何れかが入力される）。もちろん、映像調整コマンドによって設定される属性は、上記の、［明るさ］、［コントラスト］、［黒レベル］、［色の濃さ］、［色合い］、［シャープネス］に限定されることはない。すなわち、これらのうちの一部しか設定可能ではないとしても良く、一方で、これら以外の属性の基準値に比較した増減値を設定可能としても良い。また増減値の範囲は、上記に限定されない。
【００３６】
ここで、映像調整コマンドにおいて、各属性の基準値として用いられる値は、Ｅｘｉｆ情報のコメント欄に、映像調整コマンドのみが記載されるか、映像調整コマンドが画質切替コマンドと共に記載されるかによって異なる。
【００３７】
Ｅｘｉｆ情報のコメント欄に映像調整コマンドのみが記載された場合は、デフォルトの表示モードにおける属性値を基準値とし、該基準値から、映像調整コマンドによって指定された属性の増減値だけ増減させた値に表示モードを設定する。例えば、デフォルトの属性値が「フォト」であり、「フォト」の属性値の組み合わせが、
［明るさ、コントラスト、黒レベル、色の濃さ、色合い、シャープネス］
＝［００００、００１０、００１０、００２０、００００、００１５］
であり、Ｅｘｉｆ情報のコメント欄に“ＣＯＮＴ００３０”とのみ記載されている場合、画質設定コマンドが設定する属性値の組み合わせは、
［明るさ、コントラスト、黒レベル、色の濃さ、色合い、シャープネス］
＝［００００、００４０、００１０、００２０、００００、００１５］
となる。
【００３８】
一方で、Ｅｘｉｆ情報のコメント欄に画質切替コマンドと映像調整コマンドとの双方が記載された場合は、記載された画質切替コマンドが指示する表示モードの属性値を基準値とし、該基準値から、映像調整コマンドによって指定された属性値だけ、増減値分、基準値から増減させた値に表示モードを設定する。例えば、Ｅｘｉｆ情報のコメント欄に“ＡＶＭＤ０００１／ＢＬＶＬ−００５”と記載された場合、画質設定コマンドが設定する属性値の組み合わせは表示モード「ＡＶ」の属性値から、［黒レベル設定］の属性値のみ５だけ減少させた表示モードとなる。具体的には、
［明るさ、コントラスト、黒レベル、色の濃さ、色合い、シャープネス］
＝［０００５、００１０、００００、００１０、００００、０００３］
の表示モードとなる。
【００３９】
なお、映像調整コマンドは、複数記載しても良い。
【００４０】
図２に戻り、ＳＴＥＰ１００２において、ユーザは、自動スライドショーに用いる画像の画像ファイルを記憶させたＵＳＢメモリを、ディスプレイ１０に挿入する。
【００４１】
続いて、ＳＴＥＰ１００３において、ディスプレイ１０の外部記憶装置処理部４００が、ＵＳＢメモリ内の画像ファイルを順次読み込む。
【００４２】
続いて、ＳＴＥＰ１００４において、ユーザが自動スライドショーに用いる画像ファイルのスライド表示リストを作成する。これには例えば、ユーザが、図１には図示しない専用のアプリケーションを用いて、ＳＴＥＰ１００３において読み込まれた全ての画像ファイルのうち、どの画像ファイルを自動スライドショーに用いるか、及びそれらの画像ファイルをどの順番で表示するかを設定する等の方法を用いることが可能である。
【００４３】
続いて、ＳＴＥＰ１００５において、コンテンツ取得部１１０が、自動スライドショーに用いる画像ファイルの内、最初に表示する画像コンテンツに対応する画像ファイルを取得する。
【００４４】
続いて、ＳＴＥＰ１００６において、設定情報取得部１２０が、コンテンツ取得部１１０が取得した画像ファイル中のＥｘｉｆ情報を取得する。
【００４５】
続いて、ＳＴＥＰ１００７において、判断部１３０が、コンテンツ取得部１１０が取得したＥｘｉｆ情報中のコメント欄に、画質設定コマンドが含まれているか否かについて判断する。
【００４６】
ＳＴＥＰ１００７において、Ｅｘｉｆ情報中のコメント欄に画質設定コマンドが含まれている場合（ＳＴＥＰ１００７のＹｅｓ）は、ＳＴＥＰ１００９に移行する。
【００４７】
ＳＴＥＰ１００７において、Ｅｘｉｆ情報中のコメント欄に画質設定コマンドが含まれていない場合（ＳＴＥＰ１００７のＮｏ）は、ＳＴＥＰ１００８に移行する。
【００４８】
ＳＴＥＰ１００８において、判断部１３０が、Ｅｘｉｆ情報中に撮影タイプ情報が含まれているか否かについて判断する。
【００４９】
ここで、「撮影タイプ」とは、メーカーによっては「シーンモード」や「シーンセレクト」とも呼ばれ、ユーザが各画像ファイルに対応する画像をカメラで撮影した際、当該カメラにおいて選択した撮影タイプである。具体的には、ある特定のシーンに最適な撮影設定としてユーザが選択する撮影タイプである。図４に記載の表は、この撮影タイプと各撮影タイプ毎の表示モードとの対応関係が記載された表である。判断部１３０はこの表に基づいて、Ｅｘｉｆ情報に記載された撮影タイプ情報が、図３記載の「画質切替コマンド」で指示される表示モードの何れに対応するかを判断する。図４に示すように、例えば撮影タイプが「風景」の場合は、「映画」の表示モードに対応する。撮影タイプが「夜景」の場合は、「高精細」の表示モードに対応する。撮影タイプが「室内」の場合は、「ＰＣ」の表示モードに対応する。撮影タイプが「ポートレート」の場合は、「フォト」の表示モードに対応する。撮影タイプが「スポーツ」の場合は、「ダイナミック」の表示モードに対応する。なお、図４に記載の撮影タイプと表示モードとの対応関係はあくまで一例であり、本発明の実施形態が図４記載の対応関係に限定されることはない。
【００５０】
ＳＴＥＰ１００８において、Ｅｘｉｆ情報に撮影タイプ情報が含まれていると判断された場合（ＳＴＥＰ１００８のＹｅｓ）は、ＳＴＥＰ１００９に移行する。
【００５１】
これにより、仮にＳＴＥＰ１００７において、Ｅｘｉｆ情報のコメント欄に画質設定コマンドが含まれていなかったと判断されたとしても、ＳＴＥＰ１００８においてＥｘｉｆ情報内に撮影タイプ情報が含まれると判断されれば、ＳＴＥＰ１００７でＹｅｓだった場合と同様に、ＳＴＥＰ１００９に移行する。
【００５２】
続いて、ＳＴＥＰ１００９において、判断部１３０が、画質設定コマンド又は撮影タイプ情報によって指示される表示画質設定が、現時点での表示画質設定と異なるか否か、すなわち、表示画像の表示画質設定を変更する必要があるか否かについて判断する。表示画像の表示画質設定を変更する必要がある場合（ＳＴＥＰ１００９のＹｅｓ）は、ＳＴＥＰ１０１０に移行する。
【００５３】
続いて、ＳＴＥＰ１０１０において、調整部２００が、画質設定コマンド又は撮影タイプ情報に応じて、表示画質設定を変更する。
【００５４】
続いて、ＳＴＥＰ１０１１において、ＳＴＥＰ１０１０で変更された表示画質設定に基づいて、表示部３００が、画像ファイル中の画像データを表示する。
【００５５】
続いて、画像データの表示時間が一定時間を過ぎたら、ＳＴＥＰ１０１２、すなわち次の画像の表示ステップに移行する。
【００５６】
なお、ＳＴＥＰ１００７でＮｏであると共にＳＴＥＰ１００８でもＮｏだった場合、及びＳＴＥＰ１００９でＮｏだった場合は、ＳＴＥＰ１０１１に移行する。この場合は、デフォルトの表示モードで画像を表示する。
【００５７】
以上、図２記載のフローチャートと図３及び４記載の表を用いて、本発明のディスプレイ１０の使用方法について述べたが、上記のように、画像設定コマンドは、Ｅｘｉｆ情報内のコメント欄ではなく、ＭａｋｅｒＮｏｔｅ欄に記載されていても良い。この場合は、ＳＴＥＰ１００７において、Ｅｘｉｆ情報中のコメント欄ではなく、ＭａｋｅｒＮｏｔｅ欄において、画像設定コマンドが記載されているか否かについて判断する。
【００５８】
また、上記のように、画像設定コマンドは、各画像の画像ファイルと紐づいた別ファイル内に記載されていても良い。この場合は、ＳＴＥＰ１００７において、Ｅｘｉｆ情報中のコメント欄ではなく、当該別ファイル内に画像設定コマンドが記載されているか否かについて判断する。
【００５９】
更に、画像設定コマンドは、画像自体に埋め込んでも良い。具体的には、画像の隅に文字列を画像の形態で埋め込んでも良いし、文字コードを画像の形態で埋め込んでも良いし、電子透かしの状態で文字列や文字コードを埋め込んでも良い。この場合は、ＳＴＥＰ１００７において、Ｅｘｉｆ情報中のコメント欄ではなく、画像自体に対する画像認識により、画像設定コマンドが記載されているか否かについて判断する。
【００６０】
更に、上記のフローにおいては、最初にＳＴＥＰ１００７において、Ｅｘｉｆ情報内に画質設定コマンドが含まれているか否かについて判断し、画質設定コマンドが含まれていない場合は、ＳＴＥＰ１００８において、Ｅｘｉｆ情報内に撮影タイプ情報が含まれているか否かについて判断したが、これは逆順でも良い。すなわち、最初にＥｘｉｆ情報内に撮影タイプ情報が含まれているか否かについて判断し、撮影タイプ情報が含まれていない場合は、Ｅｘｉｆ情報内に画質設定コマンドが含まれているか否かについて判断しても良い。
【００６１】
更に、上記の説明においては、説明の簡略化のため、画質切替コマンドと映像調整コマンドの２つのコマンドがＥｘｉｆ情報中に記載される態様について述べたが、本発明の実施形態はこれらに限られることなく、その他のコマンドに対応する態様としても良い。たとえば、画面サイズを設定するコマンドを用い、画像をズームしたり、画像をワイド表示したりすることが可能な態様としても良い。
【００６２】
更に、例えばＳＴＥＰ１００７においてＥｘｉｆ情報内に画質設定コマンドが記載されていると判断されたり、ＳＴＥＰ１００８においてＥｘｉｆ情報内に撮影タイプ情報が記載されていると判断されたりしたものの、記載された画質設定コマンドや撮影タイプ情報がディスプレイ１０の仕様に対応していない等の理由によりエラーが発生し、調整不能となる場合が考えられる。その場合は、これから表示しようとしていた画像の表示を取り止めて、現在表示している画像の表示を続けても良く、これから表示しようとしていた画像の次の画像の表示をしても良く、プリセットされていた画像の表示をしても良い。
【００６３】
続いて、ディスプレイ１０を実際に使用する実施例について、図５を用いて説明する。
【００６４】
ＳＴＥＰ−Ａの画像は、自動スライドショー開始時の表示画面を示す。開始時においては、表示部３００の液晶モニタ３１０には何も表示されていないとともに、初期設定（デフォルト）では、表示モードは「フォト」となっている。
【００６５】
続いて、最初に表示すべき画像（図５記載の風景の画像）のＥｘｉｆ情報のコメント欄に“ＡＶＭＤ０００７”が記載されているものとする。この“ＡＶＭＤ０００７”は図３記載の表により、画質切替コマンドのうち表示モードを「ＰＣ」に設定するコマンドであることが分かる。これにより、調整部２００が表示モードを「ＰＣ」に変更する。
【００６６】
続いて、ＳＴＥＰ−Ｂにおいて、表示部３００が、表示モードを「ＰＣ」にした状態で、風景の画像を表示する。
【００６７】
続いて、次に表示すべき画像（図５記載の花の画像）のＥｘｉｆ情報のコメント欄に“ＡＶＭＤ０００２／ＶＭＬＰ０００５”が記載されているものとする。この“ＡＶＭＤ０００２／ＶＭＬＰ０００５”は図３記載の表により、画質切替コマンドのうち表示モードを「映画」に設定するコマンド、及び、映像調整コマンドのうち［明るさ］の属性値を５だけ増加させるコマンドであることが分かる。これにより、調整部２００が、表示モードを、「映画」という画質モードであると同時に、その［明るさ］の属性値のみを、「映画」という表示モードの属性値から５だけ増加させた表示モードに変更する。
【００６８】
続いて、ＳＴＥＰ−Ｃにおいて、「映画」という表示モードであると同時に、その［明るさ］の属性値のみを「映画」という表示モードの属性値から５だけ増加させた表示モードで、表示部３００が花の画像を表示する。
【００６９】
続いて、次に表示すべき画像（図５記載の猫の画像）のＥｘｉｆ情報のコメント欄に“ＣＯＮＴ００２５”が記載されているものとする。この“ＣＯＮＴ００２５”は図３記載の表により、映像調整コマンドのうち［コントラスト］の属性値を２５だけ、デフォルトの「フォト」の属性値から増加させるコマンドであることが分かる。これにより、調整部２００が、表示モードを、「フォト」という表示モードであると同時に、その［コントラスト］の属性値のみを、「フォト」という表示モードの属性値から２５だけ増加させた表示モードに変更する。
【００７０】
続いて、ＳＴＥＰ−Ｄにおいて、「フォト」という表示モードであると同時に、その［コントラスト］の属性値のみを「フォト」という表示モードの属性値から２５だけ増加させた表示モードで、表示部３００が猫の画像を表示する。
【００７１】
続いて、次に表示すべき画像（図５記載の花火の画像）のＥｘｉｆ情報のコメント欄に何も記載されておらず、撮影タイプ情報の欄に「夜景」での撮影タイプであることが記載されているものとする。図４記載の表により、撮影タイプ情報が「夜景」の場合は、表示モードが「高精細」に対応することが分かる。これにより、調整部２００が、表示モードを「高精細」という表示モードに変更する。
【００７２】
続いて、ＳＴＥＰ−Ｅにおいて、表示部３００が、表示モードを「高精細」にした状態で花火の画像を表示する。
【００７３】
続いて、次に表示すべき画像（図５記載の空港の画像）のＥｘｉｆ情報のコメント欄にも撮影タイプ情報の欄にも何も記載されていないとする。これにより、調整部２００が、表示モードを、デフォルトの「フォト」という表示モードに変更する。
【００７４】
続いて、ＳＴＥＰ−Ｆにおいて、表示部３００が、表示モードを「フォト」にした状態で、空港の画像を表示する。
【００７５】
上記の図２記載のディスプレイ１０の使用方法、及び図５記載の実施例から明らかなように、画像コンテンツを準備する側の対応のみでディスプレイに表示する際の表示画質設定を最適化することが可能となる。
【００７６】
更に、ＵＳＢメモリに入れるための「画像を準備する段階」で、スライドショーを表示する際の設定が完了することになるので、コンテンツ作成者（広告を表示する企業や代理店の担当者）が、実際に表示される時の効果をコンテンツ画像の作成時に盛り込むことが可能となる。
＜第２の実施形態＞
図６は、本発明の第２の実施形態に係るディスプレイの動作のフローである。なお、ディスプレイ自体の構成は、第１の実施形態におけるディスプレイ１０と同様である。
【００７７】
図６の動作フローを、図２の動作フローと比較すると、図６のＳＴＥＰ２００１〜ＳＴＥＰ２００７までは、図２のＳＴＥＰ１００１〜ＳＴＥＰ１００７までと同様であるため、説明を省略する。
【００７８】
第１の実施形態に係る図２の動作フローのＳＴＥＰ１００７においては、Ｅｘｉｆ情報中のコメント欄に画質設定コマンドが含まれている場合（ＳＴＥＰ１００７のＹｅｓ）は、ＳＴＥＰ１００９に移行し、含まれていない場合（ＳＴＥＰ１００７のＮｏ）は、ＳＴＥＰ１００８に移行していた。これとは異なり、第２の実施形態においては、ＳＴＥＰ２００７において、Ｅｘｉｆ情報中のコメント欄に画質設定コマンドが含まれている場合（ＳＴＥＰ２００７のＹｅｓ）は、ＳＴＥＰ２００８に移行し、含まれていない場合（ＳＴＥＰ２００７のＮｏ）は、ＳＴＥＰ２０１１に移行する。
【００７９】
そして、ＳＴＥＰ２００８において、Ｅｘｉｆ情報に撮影タイプ情報が含まれていると判断された場合（ＳＴＥＰ２００８のＹｅｓ）はＳＴＥＰ２００９に移行し、Ｅｘｉｆ情報に撮影タイプ情報が含まれていないと判断された場合（ＳＴＥＰ２００８のＮｏ）はＳＴＥＰ２０１１に移行する。
【００８０】
すなわち、第１の実施形態においては、Ｅｘｉｆ情報に、画質設定コマンドと撮影タイプ情報のいずれか一方が含まれていれば、ＳＴＥＰ１００９に移行し、設定変更が必要か否か判断していたが、第２の実施形態においては、Ｅｘｉｆ情報に画質設定コマンドと撮影タイプ情報の双方が含まれている場合のみ、ＳＴＥＰ２００９に移行し、設定変更が必要か否かを判断する。
【００８１】
更に、第１の実施形態においては、ＳＴＥＰ１０１０において、調整部が、画質設定コマンド又は撮影タイプ情報のいずれか一方に応じて表示画質設定を変更していたが、第２の実施形態においては、ＳＴＥＰ２０１０において、調整部が、画質設定コマンド及び撮影タイプ情報の双方に応じて表示画質設定を変更する。
【００８２】
具体的には、最初に、判断部１３０が図４の表に基づいて、Ｅｘｉｆ情報に記載された撮影タイプ情報が、図３記載の「画質切替コマンド」で指示される表示モードの何れかに対応するかを判断する。次に、撮影タイプ情報が対応すると判断された表示モードにおける属性値を基準値とし、該基準値から、Ｅｘｉｆ情報に記載された画質設定コマンド中の映像調整コマンドによって指示された属性の増減値だけ増減させた値に表示モードを設定する。ここで仮に、Ｅｘｉｆ情報に記載された画質設定コマンド内に、画質切替コマンドが記載されていたとしても、撮影タイプ情報に対応した表示モードを優先的に基準とするため、画質切替コマンドは無視する。
【００８３】
その後のＳＴＥＰ２０１１及びＳＴＥＰ２０１２については、図２のＳＴＥＰ１０１１及びＳＴＥＰ１０１２と同様の動作を行う。
【００８４】
これにより、表示画像に対応する画像ファイルに撮影タイプ情報が登録されていたとしても、当該撮影タイプ情報に対応する表示モードから更に、属性値を変更して表示したい場合に対応することが可能となる。
＜第３の実施形態＞
図７は、本発明の第３の実施形態に係るディスプレイ２０の構成を示す図である。なお、第１の実施形態に係るディスプレイ１０と同じ構成要素については同じ符号を用いて示す。
【００８５】
第２の実施形態に係るディスプレイ２０は、第１の実施形態に係るディスプレイ１０に比較して、制御部７００が、コンテンツ取得部１１０に接続される画質設定コマンド設定部１４０を有する点で相違する。
【００８６】
この画質設定コマンド設定部１４０は、ＵＳＢ等の外部記憶装置に記憶された画像ファイルが、外部記憶装置処理部４００を経由してコンテンツ取得部１１０に送信された後、当該送信された画像ファイルのＥｘｉｆ情報内、又は、当該送信された画像ファイルと紐づいた別ファイル内等に、画質設定コマンドを設定する構成要素である。
【００８７】
これにより、予め外部記憶装置に記憶された画像ファイルのＥｘｉｆ情報内に画質設定コマンドが記載されていない場合、事後的に画質設定ファイルを設定することが可能となる。また、予め外部記憶装置に記憶された画像ファイルのＥｘｉｆ情報内、又は、当該画像ファイルと紐づいた別ファイル内等で画質設定コマンドが設定されていたものの、ユーザが、自動スライドショーの実行後に個別の表示画像の表示画質設定を変更したい場合は、事後的に画質設定コマンドを設定することにより、ユーザが希望する表示画質で自動スライドショーを実行することが可能となる。
＜第４の実施形態＞
図８は、本発明の第４の実施形態に係るディスプレイ３０の構成を示す図である。なお、第１の実施形態に係るディスプレイ１０と同じ構成要素については同じ符号を用いて示す。
【００８８】
第３の実施形態に係るディスプレイ３０は、第１の実施形態に係るディスプレイ１０に比較して、制御部８００が、コンテンツ取得部１１０に接続される撮影タイプ情報設定部１５０を有する点で相違する。
【００８９】
この撮影タイプ情報設定部１５０は、ＵＳＢ等の外部記憶装置に記憶された画像ファイルが、外部記憶装置処理部４００を経由してコンテンツ取得部１１０に送信された後、当該送信された画像ファイルのＥｘｉｆ情報内に撮影タイプ情報を設定する構成要素である。
【００９０】
これにより、予め外部記憶装置に記憶された画像ファイルのＥｘｉｆ情報内に撮影タイプ情報が記載されていない場合、事後的に撮影タイプ情報を設定することが可能となる。とりわけ、画像ファイルのＥｘｉｆ情報内に画質設定コマンドも撮影タイプ情報も記載されていないと共に、ユーザがディスプレイ３０に固有の表示モードについて知悉していない一方で、各画像を撮影したカメラで用いられる撮影タイプを知悉している場合等に有用である。
＜第５の実施形態＞
図９は、本発明の第５の実施形態に係るディスプレイ４０の構成を示す図である。なお、第１の実施形態に係るディスプレイ１０と同じ構成要素については同じ符号を用いて示す。
【００９１】
第４の実施形態に係るディスプレイ４０は、第１の実施形態に係るディスプレイ１０に比較して、制御部９００が、コンテンツ取得部１１０に接続される撮影タイプ情報書換部１６０を有する点で相違する。
【００９２】
この撮影タイプ情報書換部１６０は、ＵＳＢ等の外部記憶装置に記憶された画像ファイルが、外部記憶装置処理部４００を経由してコンテンツ取得部１１０に送信された後、当該送信された画像ファイルのＥｘｉｆ情報内に記載された撮影タイプ情報を書き換える構成要素である。
【００９３】
これにより、予め外部記憶装置に記憶された画像ファイル内のＥｘｉｆ情報内に記載された撮影タイプ情報を、事後的に書き換えることが可能となる。更に、予め外部記憶装置に記憶された画像ファイルのＥｘｉｆ情報内に撮影タイプ情報が記載されているものの、ユーザが、自動スライドショーの実行後に個別の表示画像の表示画質設定を変更したい場合は、事後的に撮影タイプ情報を書き換えることにより、ユーザが希望する表示モードで自動スライドショーを実行することが可能となる。とりわけ、ユーザがディスプレイ４０に固有の画質モードについて知悉しておらず、各画像を撮影したカメラで用いられる撮影タイプを知悉している場合等に有用である。
【００９４】
なお、上記の画像調整装置及び画像表示装置の各部分は、ハードウェア、ソフトウェアのいずれか又はこれらの組み合わせにより実現することができる。また、上記の信号処理装置により行われる信号処理方法も、ハードウェア、ソフトウェアのいずれか又はこれらの組み合わせにより実現することができる。ここで、ソフトウェアによって実現されるとは、コンピュータがプログラムを読み込んで実行することにより実現されることを意味する。
【００９５】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【００９６】
本発明は、サイネージディスプレイ等の画像表示装置に用いることができる。また、他分野の画像表示、例えば、通常のＰＣにおける自動スライドショーに用いることも可能である。
【符号の説明】
【００９７】
１０  ディスプレイ
２０  ディスプレイ
３０  ディスプレイ
４０  ディスプレイ
１００  制御部
１１０  コンテンツ取得部
１２０  設定情報取得部
１３０  判断部
１４０  画質設定コマンド設定部
１５０  撮影タイプ情報設定部
１６０  撮影タイプ情報書換部
２００  調整部
３００  表示部
３１０  液晶モニタ
３２０  ＶＲＡＭ
３３０  コントローラ
４００  外部記憶装置処理部
５００  信号処理部
６００  操作入力部
７００  制御部
８００  制御部
９００  制御部
【図１】
0006704694.tif 000002
【図２】
0006704694.tif 000003
【図３】
0006704694.tif 000004
【図４】
0006704694.tif 000005
【図５】
0006704694.tif 000006
【図６】
0006704694.tif 000007
【図７】
0006704694.tif 000008
【図８】
0006704694.tif 000009
【図９】
0006704694.tif 000010